(57)【要約】【課題】回転刃の刃先形状の簡素化により、製造や保守面で有利な切断装置およびそれに用いる回転刃ならびに刃物台ロールの提供を目的とする。【解決手段】回転軸線Ｏ−Ｏを有する回転刃５の回転刃先線１５が直線状態とされ、固定刃７の固定刃先線２３が直線状態とされ、回転刃先線１５の一端が、回転体４の一端側において回転軸線Ｏ−Ｏを中心に持つ仮想円１８の円周上に配置され、回転刃先線１５の他端が、回転体４の他端側において回転軸線Ｏ−Ｏを中心に持つ仮想円１９の円周上に配置され、回転刃５は、その回転刃先線１５の一端側と他端側が仮想円１８，１９の円周方向にずれて配置され、固定刃７は、その固定刃先線２３が回転刃先線１５のずれ方向とは逆方向にずれて配置されている。これにより、回転刃５，固定刃７の刃先線を直線状態にして、切断装置１の製作の容易化，構造簡素化および保守整備が行いやすくなる。【選択図】図１０
2005001029.tif 000002
【特許請求の範囲】
【請求項１】
回転軸線を中心にして回転する回転体に一体化され略上記回転軸に沿って延びている回転刃と、静止部材に取り付けられ略上記回転軸線に沿って延びている固定刃とにより被切断物を切断する切断装置であって、
上記回転刃の回転刃先線が直線状態とされ、
上記固定刃の固定刃先線が直線状態とされ、
上記回転刃先線の一端が、回転体の一端側において上記回転軸線を中心に持つ仮想円の円周上に配置され、
上記回転刃先線の他端が、回転体の他端側において上記回転軸線を中心に持つ仮想円の円周上に配置され、
上記回転刃は、その回転刃先線の一端側と他端側が上記回転軸線を中心として上記仮想円の円周方向にずれるように配置され、
上記固定刃は、その固定刃先線が上記回転刃先線のずれ方向とは逆方向にずれるように配置されていることを特徴とする切断装置。
【請求項２】
上記一端側の仮想円の直径と上記他端側の仮想円の直径は略同径である請求項１記載の切断装置。
【請求項３】
上記回転刃先線のずれ角と上記固定刃先線のずれ角とが略等しくなるように設定されている請求項１または２記載の切断装置。
【請求項４】
上記回転刃が複数配置されている請求項１〜３のいずれか一項に記載の切断装置。
【請求項５】
上記固定刃が複数配置されている請求項１〜４のいずれか一項に記載の切断装置。
【請求項６】
回転軸線を中心にして回転する回転体に一体化され略上記回転軸に沿って延びている回転刃と、静止部材に取り付けられ略上記回転軸線に沿って延びている固定刃とにより被切断物を切断する切断装置の回転刃ロールであって、
上記回転刃の回転刃先線が直線状態とされ、
上記回転刃先線の一端が、回転体の一端側において上記回転軸線を中心に持つ仮想円の円周上に配置され、
上記回転刃先線の他端が、回転体の他端側において上記回転軸線を中心に持つ仮想円の円周上に配置され、
上記回転刃は、その回転刃先線の一端側と他端側が上記回転軸線を中心として上記仮想円の円周方向にずれるように配置されていることを特徴とする切断装置の回転刃ロール。
【請求項７】
回転軸線を中心にして回転する刃物台ロールに一体化され略上記回転軸に沿って延びている回転刃と、静止部材に取り付けられ略上記回転軸線に沿って延びている固定刃とにより被切断物を切断する切断装置の刃物台ロールであって、
上記回転刃の回転刃先線が直線状態とされ、
上記回転刃先線の一端が、刃物台ロールの一端側において上記回転軸線を中心に持つ仮想円の円周上に配置され、
上記回転刃先線の他端が、刃物台ロールの他端側において上記回転軸線を中心に持つ仮想円の円周上に配置され、
上記回転刃が、その回転刃先線の一端側と他端側が上記回転軸線を中心として上記仮想円の円周方向にずれた状態で刃物台ロールに取り付け可能となっていることを特徴とする切断装置の刃物台ロール。
【発明の詳細な説明】
【０００１】
【発明の属する技術分野】
本発明は、回転刃と固定刃との交差により被切断物を切断する切断装置およびそれに用いる回転刃ロールならびに刃物台ロールに関するものである。
【０００２】
【従来の技術】
従来から、回転軸線を中心にして回転する回転体に一体化され略上記回転軸に沿って延びている回転刃と、静止部材に取り付けられ略上記回転軸線に沿って延びている固定刃とにより被切断物を切断する切断装置が知られている。そして、上記回転刃の回転刃先線を仮想円筒面上に存在させて、回転刃先線の形状は、例えば螺旋状のような３次元方向に変化したものとなっている。このような回転刃先線の形状によって、回転刃の刃先線と固定刃の刃先線との正常な交差状態が、回転刃の回転に伴って上記回転軸線と同方向に移動するようになっている。
【０００３】
【特許文献１】
特開平１０−６２８２号公報
【０００４】
【発明が解決しようとする課題】
上記のように、回転刃先線が３次元方向に変化する形状であると、所定精度の刃先線形状を形成することが非常に困難なこととなる。また、そのような難易度の高い刃先線形状の精度維持のためには、熟練した技術が要求されるとともに、製作工数の増大ひいては製造原価の高騰を余儀なくされる。また、一定時間使用後にこのような形状の刃先を研ぐときにも、上記製作の場合と同様な困難性をともなう。さらに、上記のような刃先形状を有する回転刃を回転体に取り付けるにあたっては、この取り付け構造部に上記３次元方向の変化に対応した形状要素を組み入れる必要があるので、取り付け構造部においても上記と同様な精度等の問題を伴う。
【０００５】
本発明は、このような事情に鑑みなされたもので、回転刃の刃先形状の簡素化により高精度の回転刃先形状を求め、製造や保守面で有利な切断装置およびそれに用いる回転刃ロールならびに刃物台ロールの提供を目的とする。
【０００６】
【課題を解決するための手段】
上記目的を達成するため、本発明の切断装置は、回転軸線を中心にして回転する回転体に一体化され略上記回転軸に沿って延びている回転刃と、静止部材に取り付けられ略上記回転軸線に沿って延びている固定刃とにより被切断物を切断する切断装置であって、上記回転刃の回転刃先線が直線状態とされ、上記固定刃の固定刃先線が直線状態とされ、上記回転刃先線の一端が、回転体の一端側において上記回転軸線を中心に持つ仮想円の円周上に配置され、上記回転刃先線の他端が、回転体の他端側において上記回転軸線を中心に持つ仮想円の円周上に配置され、上記回転刃は、その回転刃先線の一端側と他端側が上記回転軸線を中心として上記仮想円の円周方向にずれるように配置され、上記固定刃は、その固定刃先線が上記回転刃先線のずれ方向とは逆方向にずれるように配置されていることを要旨とする。
【０００７】
すなわち、上記回転刃の回転刃先線が直線状態とされ、上記固定刃の固定刃先線が直線状態とされ、上記回転刃先線の一端が、回転体の一端側において上記回転軸線を中心に持つ仮想円の円周上に配置され、上記回転刃先線の他端が、回転体の他端側において上記回転軸線を中心に持つ仮想円の円周上に配置され、上記回転刃は、その回転刃先線の一端側と他端側が上記回転軸線を中心として上記仮想円の円周方向にずれるように配置され、上記固定刃は、その固定刃先線が上記回転刃先線のずれ方向とは逆方向にずれるように配置されている。
【０００８】
上記回転刃の回転刃先線は直線状態とされ、上記回転刃先線の一端側と他端側が上記仮想円の円周方向にずれているので、上記両仮想円間の回転刃先線は、上記両仮想円によって形成される仮想円筒の円筒面に沿わないで、一端と他端の中央に向うほど両仮想円の直径よりも小径の仮想円上を通過し、回転刃先線の長さ方向の略中央部が最も小径の仮想円上を通過することになる。すなわち、直線の回転刃先線の一端側と他端側が、上記両仮想円の円周方向に所定のずれ角をもった状態で配置されているので、回転刃先線は、両端に上記両仮想円を持つ仮想円筒の円筒面に食い込んだ位置を直線的に通過する。
【０００９】
一方、上記固定刃の固定刃先線は直線状態とされ、上記回転刃先線のずれ方向とは逆方向にずれているので、上記のような形態で通過している回転刃先線と交差した位置関係となる。そして、上記回転刃先線に対して、それと逆方向にずれた固定刃先線を対応させることにより、回転刃先線と固定刃先線との交差箇所を、両刃先線が被切断物を切断できる位置関係とすることができ、上記交差箇所が回転刃の回転に連れて上記回転軸線と平行な方向へ移動して行くのである。すなわち、回転刃先線に対して、固定刃先線が逆方向にずれた位置関係で対向しているので、回転体の回転にともなう回転刃先線と固定刃先線との交差箇所が、両刃先線が異常干渉したり異常に広いクリアランスとなったりすることなく適正に維持できる。
【００１０】
上記回転刃先線と固定刃先線が交差関係を維持しながら、上記交差箇所が回転刃の回転に連れて上記回転軸線と平行な方向へ移動して行くので、交差状態の回転刃先線と固定刃先線を回転軸線の略真横から見ると、回転刃先線と固定刃先線は、全長にわたって両刃先線間に所要の刃先間隙を保って平行な状態になる。このような回転刃先線と固定刃先線との位置関係により、上記のように、両刃先線の交差箇所が連続的に移動して、上記交差箇所において良好な切断がなされる。
【００１１】
さらに、回転刃先線と固定刃先線はともに直線状態であるから、回転刃や固定刃の形状を簡素化できるので、製作が簡単に行えて製造原価の低減が図られ、しかも回転刃や固定刃の着脱作業も行いやすくなる。
【００１２】
本発明の切断装置において、上記一端側の仮想円の直径と上記他端側の仮想円の直径が略同径である場合には、上記両仮想円が略同径であるから、両仮想円間に形成される仮想円筒も全長にわたって略同径の形状となる。そして、全長にわたって略同径とされた上記仮想円筒の円筒面に沿わないで、両仮想円の直径よりも小径の仮想円上を通過する上記回転刃先線は、回転刃先線の長さ方向の略中央部が最も小径の仮想円上を通過することになる。これにより、対向する固定刃先線を上記の最も小径の箇所において回転刃先線と逆方向にずらせて交差させることができ、これにより両刃先線の全長にわたって切断可能な交差箇所が確保できる。
【００１３】
本発明の切断装置において、上記回転刃先線のずれ角と上記固定刃先線のずれ角とが略等しくなるように設定されている場合には、回転刃先線と固定刃先線との交差角の２等分線が回転軸線と平行になるので、切断時に被切断物から回転刃先線と固定刃先線に対して作用する切断反力が均等になる。したがって、回転刃と固定刃との刃先磨耗等を略均等化することができ、切断装置の損耗箇所の異常な偏りを防止することができる。
【００１４】
本発明の切断装置において、上記回転刃が複数配置されている場合には、回転刃先線と固定刃先線との切断可能な交差動作が、回転体の１回転に対して複数回えられるので、切断効率を高めるのに有効である。さらに、各回転刃の回転刃先線が、上記仮想円筒の円筒面に食い込んだ位置を直線的に通過しているので、各回転刃先線によって描かれる仮想的な外形は、いわゆる「鼓型」になる。このような鼓型の小径部分に、回転刃先線とは逆方向にずらされた固定刃先線が対応しているので、複数の回転刃先線が順次固定刃先線と切断可能な交差関係をもつことになる。逆に言うと、複数の回転刃先線によって鼓型を呈している回転刃先線に対して、回転体の回転軸線と平行な状態で固定刃先線を対応させても、中央部に向うにしたがって固定刃先線と回転刃先線との隙間が大きくなり、両刃による正常な交差状態がえられないことになるのである。
【００１５】
本発明の切断装置において、上記固定刃が複数配置されている場合には、回転刃先線と固定刃先線との切断可能な交差動作が、回転体の１回転に対して複数回えられるので、切断効率を高めるのに有効である。
【００１６】
上記目的を達成するため、本発明の切断装置の回転刃ロールは、回転軸線を中心にして回転する回転体に一体化され略上記回転軸に沿って延びている回転刃と、静止部材に取り付けられ略上記回転軸線に沿って延びている固定刃とにより被切断物を切断する切断装置の回転刃ロールであって、上記回転刃の回転刃先線が直線状態とされ、上記回転刃先線の一端が、回転体の一端側において上記回転軸線を中心に持つ仮想円の円周上に配置され、上記回転刃先線の他端が、回転体の他端側において上記回転軸線を中心に持つ仮想円の円周上に配置され、上記回転刃は、その回転刃先線の一端側と他端側が上記回転軸線を中心として上記仮想円の円周方向にずれるように配置されていることを要旨とする。
【００１７】
すなわち、上記回転刃の回転刃先線が直線状態とされ、上記回転刃先線の一端が、回転体の一端側において上記回転軸線を中心に持つ仮想円の円周上に配置され、上記回転刃先線の他端が、回転体の他端側において上記回転軸線を中心に持つ仮想円の円周上に配置され、上記回転刃は、その回転刃先線の一端側と他端側が上記回転軸線を中心として上記仮想円の円周方向にずれるように配置された回転刃ロールである。
【００１８】
したがって、固定刃の固定刃先線が直線状態とされ、上記回転軸線に対し、上記固定刃先線が上記回転刃先線のずれ方向とは逆方向にずれて配置されている上記固定刃を、上記回転刃ロールに組み合わせて切断動作をすることにより、よりすぐれた回転刃ロールとしての機能が発揮され、次のような動作により良好な切断が行える。すなわち、上記回転体と、それに上記のようにずらして配置した回転刃とを一体的に組み合わせた結合体が、回転刃ロールとして下記のような作用効果を発揮する。
【００１９】
上記回転刃ロールの回転刃先線は直線状態とされ、上記回転刃先線の一端側と他端側が上記仮想円の円周方向にずれているので、上記両仮想円間の回転刃先線は、上記両仮想円によって形成される仮想円筒の円筒面に沿わないで、一端と他端の中央に向うほど両仮想円の直径よりも小径の仮想円上を通過し、回転刃先線の長さ方向の略中央部が最も小径の仮想円上を通過することになる。すなわち、直線の回転刃先線の一端側と他端側が、上記両仮想円の円周方向に所定のずれ角をもった状態で配置されているので、回転刃先線は、両端に上記両仮想円を持つ仮想円筒の円筒面に食い込んだ位置を直線的に通過する。
【００２０】
一方、上記回転刃ロールに対応させて配置される固定刃の固定刃先線は、直線状態とされ、上記回転刃先線のずれ方向とは逆方向にずれているので、上記のような形態で通過している回転刃先線と交差した位置関係となる。そして、上記回転刃先線に対して、それと逆方向にずれた固定刃先線を対応させることにより、回転刃先線と固定刃先線との交差箇所を、両刃先線が被切断物を切断できる位置関係とすることができ、上記交差箇所が回転刃の回転に連れて上記回転軸線と平行な方向へ移動して行くのである。すなわち、回転刃先線に対して、固定刃先線が逆方向にずれた位置関係で対向しているので、回転体の回転にともなう回転刃先線と固定刃先線との交差箇所が、両刃先線が異常干渉したり異常に広いクリアランスとなったりすることなく適正に維持できる。
【００２１】
上記回転刃先線と固定刃先線が交差関係を維持しながら、上記交差箇所が回転刃の回転に連れて上記回転軸線と平行な方向へ移動して行くので、交差状態の回転刃先線と固定刃先線を回転軸線の略真横から見ると、回転刃先線と固定刃先線は全長にわたって両刃先線間に所要の刃先間隙を保って平行な状態になる。このような回転刃先線と固定刃先線との位置関係により、上記のように、両刃先線の交差箇所が連続的に移動して、上記交差箇所において良好な切断がなされる。
【００２２】
さらに、回転刃先線と固定刃先線はともに直線状態であるから、回転刃や固定刃の形状を簡素化できるので、製作が簡単に行えて製造原価の低減が図られ、しかも回転刃や固定刃の着脱作業も行いやすくなる。
【００２３】
上記目的を達成するため、本発明の切断装置の刃物台ロールは、回転軸線を中心にして回転する刃物台ロールに一体化され略上記回転軸に沿って延びている回転刃と、静止部材に取り付けられ略上記回転軸線に沿って延びている固定刃とにより被切断物を切断する切断装置の刃物台ロールであって、上記回転刃の回転刃先線が直線状態とされ、上記回転刃先線の一端が、刃物台ロールの一端側において上記回転軸線を中心に持つ仮想円の円周上に配置され、上記回転刃先線の他端が、刃物台ロールの他端側において上記回転軸線を中心に持つ仮想円の円周上に配置され、上記回転刃が、その回転刃先線の一端側と他端側が上記回転軸線を中心として上記仮想円の円周方向にずれた状態で刃物台ロールに取り付け可能となっていることを要旨とする。
【００２４】
すなわち、上記回転刃の回転刃先線が直線状態とされ、上記回転刃先線の一端が、刃物台ロールの一端側において上記回転軸線を中心に持つ仮想円の円周上に配置され、上記回転刃先線の他端が、刃物台ロールの他端側において上記回転軸線を中心に持つ仮想円の円周上に配置され、上記回転刃が、その回転刃先線の一端側と他端側が上記回転軸線を中心として上記仮想円の円周方向にずれた状態で刃物台ロールに取り付け可能となっている。
【００２５】
したがって、固定刃の固定刃先線が直線状態とされ、上記回転軸線に対し、上記固定刃先線が上記回転刃先線のずれ方向とは逆方向にずれて配置されている上記固定刃を、上記回転刃を備えた刃物台ロールに組み合わせて切断動作をすることにより、よりすぐれた刃物台ロールとしての機能が発揮され、次のような動作により良好な切断が行える。すなわち、上記のようにずらして配置した回転刃が一体的に結合される回転部材が、刃物台ロールとして下記のような作用効果を発揮する。
【００２６】
上記刃物台ロールに取り付けられる回転刃の回転刃先線は直線状態とされ、上記回転刃先線の一端側と他端側が上記仮想円の円周方向にずれているので、上記両仮想円間の回転刃先線は、上記両仮想円によって形成される仮想円筒の円筒面に沿わないで、一端と他端の中央に向うほど両仮想円の直径よりも小径の仮想円上を通過し、回転刃先線の長さ方向の略中央部が最も小径の仮想円上を通過することになる。すなわち、直線の回転刃先線の一端側と他端側が、上記両仮想円の円周方向に所定のずれ角をもった状態で配置されているので、回転刃先線は、両端に上記両仮想円を持つ仮想円筒の円筒面に食い込んだ位置を直線的に通過する。
【００２７】
一方、上記刃物台ロールに取り付けられた回転刃に対応させて配置される上記固定刃の固定刃先線は、直線状態とされ、上記回転刃先線のずれ方向とは逆方向にずれているので、上記のような形態で通過している回転刃先線と交差した位置関係となる。そして、上記回転刃先線に対して、それと逆方向にずれた固定刃先線を対応させることにより、回転刃先線と固定刃先線との交差箇所を、両刃先線が被切断物を切断できる位置関係とすることができ、上記交差箇所が回転刃の回転に連れて上記回転軸線と平行な方向へ移動して行くのである。すなわち、回転刃先線に対して、固定刃先線が逆方向にずれた位置関係で対向しているので、回転体の回転にともなう回転刃先線と固定刃先線との交差箇所が、両刃先線が異常干渉したり異常に広いクリアランスとなったりすることなく適正に維持できる。
【００２８】
上記回転刃先線と固定刃先線が交差関係を維持しながら、上記交差箇所が回転刃の回転に連れて上記回転軸線と平行な方向へ移動して行くので、交差状態の回転刃先線と固定刃先線を回転軸線の略真横から見ると、回転刃先線と固定刃先線は全長にわたって両刃先線間に所要の刃先間隙を保って平行な状態になる。このような回転刃先線と固定刃先線との位置関係により、上記のように、両刃先線の交差箇所が連続的に移動して、上記交差箇所において良好な切断がなされる。
【００２９】
さらに、回転刃先線と固定刃先線はともに直線状態であるから、回転刃や固定刃の形状を簡素化できるので、製作が簡単に行えて製造原価の低減が図られ、しかも回転刃や固定刃の着脱作業も行いやすくなる。
【００３０】
【発明の実施の形態】
つぎに、本発明の実施の形態を詳しく説明する。
【００３１】
図１〜図１３は、本発明の切断装置の一実施の形態を示す。
【００３２】
図１は、本発明の切断装置１の全体構造を示す断面図であり、ここでは細長い棒状の合成樹脂素材を短く切ってペレットを生産している例である。切断装置１の静止部材であるハウジング２に回転軸３が回転自在な状態で支持され、上記回転軸３に略円筒状の形状とされた回転体４が一体化されている。回転軸３は、図１の紙面に対して垂直方向に延びる回転軸線Ｏ−Ｏを備えていて、回転体４は上記回転軸線Ｏ−Ｏを中心にして回転するようになっている。
【００３３】
略上記回転軸線Ｏ−Ｏに沿って延びている回転刃５が、上記回転体４に図１の例では６本取り付けられている。上記ハウジング２には、固定基台６上に固定刃７が取り付けられ、上記固定刃７も回転刃５と同様に、略上記回転軸線Ｏ−Ｏに沿って延びた状態で配置されている。上記回転刃５と固定刃７との交差箇所８において、被切断物である細長い棒状の合成樹脂素材９が短く切断されて、ペレット１０が生産される。上記合成樹脂素材９は、ハウジング２に形成した挿入穴１１から上記交差箇所８に供給される。１３は、合成樹脂素材９の供給手段であり、例えば、合成樹脂の押出成型機や合成樹脂素材９を巻き付けたロールである。切断された上記ペレット１０は、切断装置１のホッパー１２とガイド管１２Ａを経て、容器１４内に蓄えられる。
【００３４】
図２は、回転刃５が回転体４に固定される構造を示す分解斜視図であり、説明の便宜上、１本の回転刃５の取り付け状態を示している。また、図３は図２のものの平面図である。回転刃５は、高速度鋼等の特殊工具鋼を用いた肉厚の大きな素材から製作されており、その刃先は直線状態の回転刃先線１５とされている。回転刃５は、上記回転刃先線１５が、後述のように、回転軸線Ｏ−Ｏに対してずれるよう回転体４に取り付けられている。この取り付けのために、回転体４には真直ぐな切欠き部１６が回転軸線Ｏ−Ｏに対してずれるよう形成してあり、上記切欠き部１６に回転刃５を合致させて、図３に示すように、ボルト１７で結合してある。
【００３５】
上記の構成において、上記回転体４と、それに後述のようにずれ角を付与して配置した回転刃５とを一体的に組み合わせた結合体が、本発明の回転刃ロール５Ａである。また、上記のようにずらして配置した回転刃５が一体的に結合される回転部材（回転体４）が、本発明の刃物台ロール４である。
【００３６】
図４〜図６は、回転刃５の回転刃先線１５のずれ状態を示す刃先線の配置図である。図４は、本発明において採用されている回転刃先線１５の配置状態を理解しやすくするために示した透視図である。すなわち、回転体４の両端に存在する同径の仮想円１８，１９と、上記両仮想円１８，１９の間に形成される仮想円筒２０を示している。そして、この図４では８本の回転刃先線１５が図示されている。これらの回転刃先線１５は、回転軸線Ｏ−Ｏと平行に配置されているもので、両仮想円１８，１９上に等間隔で配置されたそれぞれ８個の点１８ａ，１８ｂ，１８ｃ，１８ｄ，１８ｅ，１８ｆ，１８ｇ，１８ｈおよび１９ａ，１９ｂ，１９ｃ，１９ｄ，１９ｅ，１９ｆ，１９ｇ，１９ｈに合致させてある。したがって、図４は、本発明による回転刃先線１５の「ずれ角」を付与する前の状態を示している。
【００３７】
図５は、図４に示した回転刃先線１５の配置態様（初期状態）に対して、ずれ角θを付与した状態を示している。ここでは、回転刃先線１５の長さは      ｍｍ，仮想円１８，１９の直径は      ｍｍであり、一方の仮想円１８におけるずれ角θ１を基準線Ｌから時計方向に４度、他方の仮想円１９におけるずれ角θ２を基準線Ｌから反時計方向に４度設定してある。したがって、各回転刃先線１５の両端が両仮想円１８，１９の各点１８ａ〜１８ｈおよび１９ａ〜１９ｈに合致している箇所が、両仮想円１８，１９の円周方向にそれぞれずれ角θ１およびθ２ずれて配置されている。つまり、各回転刃先線１５の両端間の合計ずれ角（θ＝θ１＋θ２）は、８度となる。また、θ１とθ２は同角である。
【００３８】
図６（Ａ）は、各点１８ａ〜１８ｈを仮想円１８の円周方向に、角度θ１すなわち４度時計方向に回した状態を示し、同図（Ｃ）は、各点１９ａ〜１９ｈを仮想円１９の円周方向に、角度θ２すなわち４度反時計方向に回した状態を示している。（Ｂ）は両仮想円１８，１９の略中央部における各回転刃先線１５の通過箇所を示しており、各回転刃先線１５は、上記中央部が両仮想円１８，１９におけるずれ角θ１，θ２の中立点に相当する位置なので、後述の小径の仮想円２１上のずれ角が形成されていない点２１ａ，２１ｂ，２１ｃ，２１ｄ，２１ｅ，２１ｆ，２１ｇ，２１ｈを通過している。
【００３９】
上記回転刃５の回転刃先線１５は直線状態とされ、回転刃先線１５の一端側と他端側が上記仮想円１８，１９の円周方向に相反する方向に４度ずつずれているので、上記両仮想円１８，１９間の回転刃先線１５は、上記両仮想円１８，１９によって形成される仮想円筒２０の円筒面に沿わないで、一端と他端の中央に向うほど両仮想円１８，１９の直径よりも小径の仮想円上を通過し、回転刃先線１５の長さ方向の略中央部が最も小径の仮想円２１上を通過することになる。すなわち、回転刃５は、直線とされた回転刃先線１５が、回転軸線Ｏ−Ｏを中心として所定のずれ角（θ＝θ１＋θ２＝８度）をもった状態で配置されているので、各回転刃先線１５は、両端に仮想円１８，１９を持つ仮想円筒２０の円筒面に食い込んだ位置を直線的に通過する。
【００４０】
図６（Ｄ）は、仮想円筒２０を回転軸線Ｏ−Ｏの方向から見た透視図であり、理解しやすくするために、ずれ角を誇張して図示してある。（Ｄ）の手前側にある仮想円１８の点１８ａが図４の初期状態から時計方向に角度θ１ずらされ、同図の奥側にある仮想円１９の点１９ａが図４の初期状態から反時計方向に角度θ２ずらされている。したがって、直線状態で存在する回転刃先線１５は（Ｄ）に示すように、点１８ａと点１９ａを結ぶ真直ぐな線分の状態で仮想円筒２０の内部を通過している。そして、回転刃先線１５の中央部は小径の仮想円２１上の点を通過している。このような通過点は（Ｂ）に示すように、２１ａ，２１ｂ，２１ｃ，２１ｄ，２１ｅ，２１ｆ，２１ｇ，２１ｈの８点である。したがって、仮想円１８，１９の直径と、最も小径の仮想円２１の直径との間には径差Ｄが存在している。
【００４１】
換言すると、上記各回転刃先線１５は、図４の両端に円板１８，１９を配置し、両円板１８，１９間に糸（各回転刃先線１５）を張って、上記糸を緊張させたまま上記ずれ角θを付与した場合に相当する。このようにすると、８本の糸の中央部が「鼓型」にくびれた形状となる。
【００４２】
図７〜図１３は、回転刃５と上記固定刃７との位置関係ならびに両刃５，７による動作状態を示している。
【００４３】
上記回転刃５と交差して被切断物である合成樹脂素材９を切断する固定刃７が配置されている。上記固定刃７の固定刃先線２３は直線状態である。上記各回転刃先線１５にずれ角θが付与されているので、上記固定刃先線２３に上記各回転刃先線１５と適正な交差関係を保有させるために、固定刃先線２３が上記回転刃先線１５のずれ方向とは逆方向にずらして配置されている。この固定刃先線２３のずらされた配置は、上記仮想円１８，１９の円周方向に沿ってずらされており、そのずらす方向は回転刃先線１５のずれ方向とは逆方向とされている。
【００４４】
上記固定刃先線２３のずれ状態を、回転刃先線１５のずれ状態を示す図６（Ｄ）と同様な要領で、図６（Ｅ）として図示してある。この図においても理解しやすくするために、ずれ角を誇張して図示してある。（Ｅ）の手前側にある仮想円１８の点１８Ａが基準線Ｌから反時計方向に角度θ３ずらされ、同図の奥側にある仮想円１９の点１９Ａが基準線Ｌから時計方向に角度θ４ずらされている。したがって、直線状態で存在する固定刃先線２３は（Ｅ）に示すように、点１８Ａと点１９Ａを結ぶ真直ぐな線分の状態で仮想円筒２０の内部を通過している。そして、固定刃先線２３の中央部は小径の仮想円２１上の点を通過している。また、固定刃先線２３のずれ角θ´すなわち（θ３＋θ４）は、回転刃先線１５のずれ角θすなわち（θ１＋θ２）と同じ角度とされている。
【００４５】
したがって、回転刃先線１５と固定刃先線２３とは、回転体４の軸方向の略中央部の交差箇所８で交差している。そして、各回転刃先線１５が上記仮想円筒２０の内部を通過していることにより、各回転刃先線１５によって形成される外形が上記のように、鼓型となっているので、固定刃先線２３に上記のような各回転刃先線１５とは逆方向のずれ角を付与することによって、回転刃先線１５と固定刃先線２３とが正常な切断のできる交差関係となる。すなわち、上記交差箇所８は、上記小径の仮想円２１において交差し、この交差箇所８が後述のように、回転軸線Ｏ−Ｏと平行な方向に移動する。なお、固定刃先線２３は上記のように仮想円１８，１９の円周方向にずれているのであるが、実際には、仮想円１８，１９の直径は、固定刃先線２３と回転刃先線１５との刃先間隙を確保するために、仮想円１８，１９よりも刃先間隙に相当する分だけ直径が大きくされている。
【００４６】
図７は、回転刃５の下側に固定刃７が位置して回転刃５が静止している状態を示す平面図である。回転刃先線１５と固定刃先線２３との交差箇所８は、回転体４の軸方向長さの略中央部であり、投影的に見て回転軸線Ｏ−Ｏの真下である。図７は投影的にみた平面図であり、回転刃先線１５は、上記ずれ角θの存在により、回転軸線Ｏ−Ｏに対して所定の相対角αをもって配置される。同様に、固定刃先線２３は、上記ずれ角θ´の存在により、回転軸線Ｏ−Ｏに対して所定の相対角βをもって配置される。したがって、回転刃先線１５と固定刃先線２３は、相対角γ＝α＋βをもって配置される。そして、回転刃先線１５のずれ角θと固定刃先線２３のずれ角θ´は同じであるから、α＝βとなり、投影的に見られる回転軸線Ｏ−Ｏは、回転刃先線１５と固定刃先線２３がなす狭角の２等分線となり、交差状態の回転刃先線１５と固定刃先線２３は、回転軸線Ｏ−Ｏおよび交差箇所８を介して対称に配置されている。
【００４７】
上記のように、α＝βであるから、切断時に合成樹脂素材９から回転刃先線１５と固定刃先線２３に対して作用する切断反力が均等になる。したがって、回転刃５と固定刃７との刃先磨耗等を略均等化することができ、切断装置の損耗箇所の異常な偏りを防止することができる。
【００４８】
なお、図８は、図７の状態を回転軸線Ｏ−Ｏの方向から見た図であり、図８（Ａ）（Ｂ）（Ｃ）は、回転刃５が静止状態である図７の（Ａ）−（Ａ），（Ｂ）−（Ｂ），（Ｃ）−（Ｃ）各断面を示す断面図である。図８に示すように、回転刃先線１５と固定刃先線２３とが図７に示すように、中央部で交差しているときには、回転刃先線１５と固定刃先線２３は、平行な状態になっている。なお、図８では刃先間隙は図示していない。図８（Ｂ）に交差箇所８が現われている。その状態のときの他の各刃５，７の断面位置では、両刃先線１５と２３が交差する前と後の位置関係を示している。
【００４９】
また、図７に示すように、回転刃先線１５と固定刃先線２３が中央部で交差しているときには、回転刃先線１５と固定刃先線２３が交差関係を維持しながら、上記交差箇所８が回転刃５の回転に連れて回転軸線Ｏ−Ｏと平行な方向へ移動して行くので、交差状態の回転刃先線１５と固定刃先線２３を回転軸線Ｏ−Ｏの略真横から見ると、図９に示すように、回転刃先線１５と固定刃先線２３は全長にわたって両刃先線１５，２３間に所要の刃先間隙を保って平行な状態になる。このような回転刃先線１５と固定刃先線２３との位置関係により、上記のように、両刃先線１５，２３の交差箇所８が連続的に移動して、上記交差箇所８において良好な切断がなされる。
【００５０】
図１０の（Ａ）から（Ｃ）は、回転刃５が回転している動的な状態を順次示している動作図であり、（Ａ）（Ｂ）（Ｃ）の各図において、右側には回転刃先線１５と固定刃先線２３との交差状態を示す平面図が示され、左側には右側の状態を回転軸線Ｏ−Ｏの方向から見た透視図が示されている。
【００５１】
（Ａ）から（Ｃ）の平面図に示すように、交差箇所８が順次各図の右方から固定刃先線２３に沿って左方へ移動して行き、このときの各交差箇所８は、（Ａ）に示すように、回転刃先線１５と固定刃先線２３により、切断可能な刃先の位置関係となっている。このような動作を各透視図で観察すると、線分１８ａ−１９ａで表された回転刃先線１５が反時計方向に回転して行くのに連れて、交差箇所８は固定刃先線２３に沿って右方へ移動し、（Ｃ）の回転刃先線１５の端部すなわち点１８ａが固定刃先線２３に接した箇所で、回転刃先線１５と固定刃先線２３との交差が終了する。（Ａ）〜（Ｃ）には図示していないが、回転刃５が複数配置されていることにより、上記の回転刃先線１５と固定刃先線２３との交差動作が、回転体４の１回転において複数回にわたって連続的に行われる。
【００５２】
図１１は、回転刃５が回転したときの固定刃先線２３に対する回転刃先線１５の軌跡を１つの図に示したものであり、右側の図が側面図であり、左側の図が回転軸線Ｏ−Ｏの方向から見た透視図である。図１１からわかるように、直線状態の回転刃先線１５と直線状態の固定刃先線２３が、回転刃先線１５の回転により、交差箇所８が所定のクリアランスを維持しながら回転軸線Ｏ−Ｏ方向に移動する。なお、クリアランスは図示していない。
【００５３】
上記固定刃７の固定刃先線２３は直線状態とされ、回転刃先線１５のずれ方向とは逆方向にずれているので、上記のような形態で通過している回転刃先線１５と交差した位置関係となる。そして、回転刃先線１５に対して、それと逆方向にずれた固定刃先線２３を対応させることにより、回転刃先線１５と固定刃先線２３との交差箇所８を、両刃先線１５，２３が合成樹脂素材９を切断できる位置関係とすることができ、上記交差箇所８が回転刃５の回転に連れて上記回転軸線Ｏ−Ｏと平行な方向へ移動して行くのである。すなわち、回転刃先線１５に対して、固定刃先線２３が逆方向にずれた位置関係で対向しているので、回転体４の回転にともなう回転刃先線１５と固定刃先線２３との交差箇所８が、両刃先線１５，２３が異常干渉したり異常に広いクリアランスとなったりすることなく適正に維持できる。
【００５４】
上記回転刃先線１５と固定刃先線２３が交差関係を維持しながら、上記交差箇所８が回転刃５の回転に連れて上記回転軸線Ｏ−Ｏと平行な方向へ移動して行くので、交差状態の回転刃先線１５と固定刃先線２３を回転軸線Ｏ−Ｏの略真横から見ると、回転刃先線１５と固定刃先線２３は、全長にわたって両刃先線１５，２３間に所要の刃先間隙を保って平行な状態になる。このような回転刃先線１５と固定刃先線２３との位置関係により、上記のように、両刃先線１５，２３の交差箇所８が連続的に移動して、上記交差箇所８において良好な切断がなされる。
【００５５】
さらに、回転刃先線１５と固定刃先線２３はともに直線状態であるから、回転刃５や固定刃７の形状を簡素化できるので、製作が簡単に行えて製造原価の低減が図られ、しかも回転刃５や固定刃７の着脱作業も行いやすくなる。
【００５６】
図１２および図１３は、それぞれ回転刃５と固定刃７との間で合成樹脂素材９が切断される状態を示す側面図と断面図である。合成樹脂素材９が図１３（Ｂ）に示した方向から挿入されると、回転刃５と固定刃７との交差により切断されて、ペレット１０が生産される。図１２に示すように、合成樹脂素材９を２本供給することにより、回転体４の１回転で２つのペレット１０が切断され、生産性の向上ができる。具体例としては、図１に示した挿入穴１１を２つ形成して両挿入穴１１から合成樹脂素材９を供給するのである。なお、合成樹脂素材９の本数を３本以上にすることも可能である。
【００５７】
上記両仮想円１８，１９が略同径であるから、両仮想円１８，１９間に形成される仮想円筒２０も全長にわたって略同径の形状となる。そして、全長にわたって略同径とされた上記仮想円筒２０の円筒面に沿わないで、両仮想円１８，１９の直径よりも小径の仮想円上を通過する上記回転刃先線１５は、回転刃先線１５の長さ方向の略中央部が最も小径の仮想円２１上を通過することになる。これにより、対向する固定刃先線２３を上記の最も小径の箇所において回転刃先線１５と逆方向にずらせて交差させることができ、これにより両刃先線１５，２３の全長にわたって切断可能な交差箇所８が確保できる。
【００５８】
上記回転刃先線１５のずれ角θと上記固定刃先線２３のずれ角θ´とが略等しくなるように設定されている。回転刃先線１５と固定刃先線２３との交差角の２等分線が回転軸線Ｏ−Ｏと平行になるので、切断時に合成樹脂素材９から回転刃先線１５と固定刃先線２３に対して作用する切断反力が均等になる。したがって、回転刃５と固定刃７との刃先磨耗等を略均等化することができ、切断装置１の損耗箇所の異常な偏りを防止することができる。
【００５９】
上記回転刃５および固定刃７が複数配置されているので、回転刃先線１５と固定刃先線２３との切断可能な交差動作が、回転体４の１回転に対して複数回えられるので、切断効率を高めるのに有効である。さらに、各回転刃５の回転刃先線１５が、上記仮想円筒２０の円筒面に食い込んだ位置を直線的に通過しているので、各回転刃先線１５によって描かれる仮想的な外形は、いわゆる「鼓型」になる。このような鼓型の小径部分に、回転刃先線１５とは逆方向にずらされた固定刃先線２３が対応しているので、複数の回転刃先線１５が順次固定刃先線２３と切断可能な交差関係をもつことになる。逆に言うと、複数の回転刃先線１５によって鼓型を呈している回転刃先線１５に対して、回転体４の回転軸線Ｏ−Ｏと平行な状態で固定刃先線２３を対応させても、回転体４の中央部に向うにしたがって固定刃先線２３と回転刃先線１５との隙間が大きくなり、両刃２３，１５による正常な交差状態がえられないことになるのである。
【００６０】
上記の実施の形態において、切断装置１に採用されている回転刃ロール５Ａは、次のような構成である。すなわち、上記回転体４と、それに上記のようにずらして配置した回転刃５とを一体的に組み合わせた結合体が、回転刃ロール５Ａとして下記のような作用効果を発揮する。
【００６１】
つまり、固定刃７の固定刃先線２３が直線状態とされ、上記固定刃先線２３が回転刃先線１５のずれ方向とは逆方向にずれて配置されている上記固定刃７を、上記回転刃ロール５Ａに組み合わせて切断動作をすることにより、よりすぐれた回転刃ロール５Ａとしての機能が発揮され、次のような動作により良好な切断が行える。すなわち、上記回転体４と、それに上記のようにずらして配置した回転刃５とを一体的に組み合わせた結合体が、回転刃ロール５Ａとして下記のような作用効果を発揮する。
【００６２】
すなわち、上記回転刃ロール５Ａの回転刃先線１５は直線状態とされ、上記回転刃先線１５の一端側と他端側が上記仮想円１８，１９の円周方向にずれているので、上記両仮想円１８，１９間の回転刃先線１５は、上記両仮想円１８，１９によって形成される仮想円筒２０の円筒面に沿わないで、一端と他端の中央に向うほど両仮想円１８，１９の直径よりも小径の仮想円上を通過し、回転刃先線１５の長さ方向の略中央部が最も小径の仮想円２１上を通過することになる。すなわち、直線の回転刃先線１５の一端側と他端側が、上記両仮想円１８，１９の円周方向に所定のずれ角θ１，θ２をもった状態で配置されているので、回転刃先線１５は、両端に上記両仮想円１８，１９を持つ仮想円筒２０の円筒面に食い込んだ位置を直線的に通過する。
【００６３】
一方、上記回転刃ロール５Ａに対応させて配置される固定刃７の固定刃先線２３は、直線状態とされ、上記回転刃先線１５のずれ方向とは逆方向に角度θ３，θ４ずれているので、上記のような形態で通過している回転刃先線１５と交差した位置関係となる。そして、回転刃先線１５に対して、それと逆方向にずれた固定刃先線２３を対応させることにより、回転刃先線１５と固定刃先線２３との交差箇所８を、両刃先線１５，２３が合成樹脂素材９を切断できる位置関係とすることができ、上記交差箇所８が回転刃５の回転に連れて上記回転軸線Ｏ−Ｏと平行な方向へ移動して行くのである。すなわち、回転刃先線１５に対して、固定刃先線２３が逆方向にずれた位置関係で対向しているので、回転体４の回転にともなう回転刃先線１５と固定刃先線２３との交差箇所８が、両刃先線１５，２３が異常干渉したり異常に広いクリアランスとなったりすることなく適正に維持できる。
【００６４】
上記回転刃先線１５と固定刃先線２３が交差関係を維持しながら、上記交差箇所８が回転刃５の回転に連れて上記回転軸線Ｏ−Ｏと平行な方向へ移動して行くので、交差状態の回転刃先線１５と固定刃先線２３を回転軸線Ｏ−Ｏの略真横から見ると、回転刃先線１５と固定刃先線２３は、全長にわたって両刃先線１５，２３間に所要の刃先間隙を保って平行な状態になる。このような回転刃先線１５と固定刃先線２３との位置関係により、上記のように、両刃先線１５，２３の交差箇所８が連続的に移動して、上記交差箇所８において良好な切断がなされる。
【００６５】
さらに、回転刃先線１５と固定刃先線２３はともに直線状態であるから、回転刃５や固定刃７の形状を簡素化できるので、製作が簡単に行えて製造原価の低減が図られ、しかも回転刃５や固定刃７の着脱作業も行いやすくなる。
【００６６】
上記の実施の形態において、切断装置１に採用されている刃物台ロールは、上記回転体４自体が、回転刃５が取り付け可能とされた刃物台ロールすなわち上記のようにずらして配置した回転刃５が一体的に取り付けられる回転部材（回転体４）が、刃物台ロールとしての機能を果たすものであり、次のような構成である。
【００６７】
つまり、固定刃７の固定刃先線２３が直線状態とされ、上記固定刃先線２３が回転刃先線１５のずれ方向とは逆方向にずれて配置されている上記固定刃７を、上記回転刃５を備えた刃物台ロール４に組み合わせて切断動作をすることにより、よりすぐれた刃物台ロール４としての機能が発揮され、次のような動作により良好な切断が行える。すなわち、上記のようにずらして配置した回転刃５が一体的に結合される回転部材が、刃物台ロール４として下記のような作用効果を発揮する。
【００６８】
すなわち、上記刃物台ロール４に取り付けられる回転刃５の回転刃先線１５は直線状態とされ、回転刃先線１５の一端側と他端側が上記仮想円１８，１９の円周方向にずれているので、上記両仮想円１８，１９間の回転刃先線１５は、上記両仮想円１８，１９によって形成される仮想円筒２０の円筒面に沿わないで、一端と他端の中央に向うほど両仮想円１８，１９の直径よりも小径の仮想円上を通過し、回転刃先線１５の長さ方向の略中央部が最も小径の仮想円２１上を通過することになる。すなわち、直線とされた回転刃先線１５が、上記両仮想円１８，１９に対して所定のずれ角θ１，θ２をもった状態で配置されているので、回転刃先線１５は、両端に上記両仮想円１８，１９を持つ仮想円筒２０の円筒面に食い込んだ位置を直線的に通過する。
【００６９】
一方、上記刃物台ロール４に取り付けられた回転刃５に対応させて配置される上記固定刃７の固定刃先線２３は、直線状態とされ、上記回転刃先線１５のずれ方向とは逆方向に角度θ３，θ４ずれているので、上記のような形態で通過している回転刃先線１５と交差した位置関係となる。そして、回転刃先線１５に対して、それと逆方向にずれた固定刃先線２３を対応させることにより、回転刃先線１５と固定刃先線２３との交差箇所８を、両刃先線１５，２３が合成樹脂素材９を切断できる位置関係とすることができ、上記交差箇所８が回転刃５の回転に連れて上記回転軸線Ｏ−Ｏと平行な方向へ移動して行くのである。すなわち、回転刃先線１５に対して、固定刃先線２３が逆方向にずれた位置関係で対向しているので、回転体４の回転にともなう回転刃先線１５と固定刃先線２３との交差箇所８が、両刃先線１５，２３が異常干渉したり異常に広いクリアランスとなったりすることなく適正に維持できる。
【００７０】
上記回転刃先線１５と固定刃先線２３が交差関係を維持しながら、上記交差箇所８が回転刃５の回転に連れて上記回転軸線Ｏ−Ｏと平行な方向へ移動して行くので、交差状態の回転刃先線１５と固定刃先線２３を回転軸線Ｏ−Ｏの略真横から見ると、回転刃先線１５と固定刃先線２３は、全長にわたって両刃先線１５，２３間に所要の刃先間隙を保って平行な状態になる。このような回転刃先線１５と固定刃先線２３との位置関係により、上記のように、両刃先線１５，２３の交差箇所８が連続的に移動して、上記交差箇所８において良好な切断がなされる。
【００７１】
さらに、回転刃先線１５と固定刃先線２３はともに直線状態であるから、回転刃５や固定刃７の形状を簡素化できるので、製作が簡単に行えて製造原価の低減が図られ、しかも回転刃５や固定刃７の着脱作業も行いやすくなる。
【００７２】
図１４〜図１６は、本発明の切断装置の第２の実施の形態であり、回転体すなわち刃物台ロール４に２０本の回転刃５が取り付けられているものである。
【００７３】
上記回転体４は中空の円筒部材で構成され、円板型の端板２４を介して回転軸３に溶接等により固定されている。回転体４に回転刃５を取り付けるために、多数の固定リング２５が回転体４の円周方向に、ボルト付けまたは溶接により固定されている。上記固定リング２５は、図１５に示すように、鋸歯形状とされ、回転刃５の取付け面２６が円周方向に一定間隔で配置されている。各固定リング２５に形成されている各取付け面２６は、長尺な回転刃５を強固に固定するとともに、回転刃先線１５が所定のずれ角θ１，θ２となるように、１仮想平面上に整列させてある。このように整列した各取付け面２６に１本の回転刃５を密着させて、固定ボルト２７で取り付けがなされている。上記のような取付け構造により、図１５，図１６に示すように、複数の回転刃５が所定のずれ角θ１，θ２をもって回転体４に取り付けられている。
【００７４】
また、各取付け面２６はきわめて高精度の仕上げが要求される。したがって、粗加工で鋸歯形状とされた所要数の固定リング２５をあらかじめ回転体４に固定し、その後、各取付け面２６が上記１仮想平面上に整列するように、仕上げ加工がなされる。それ以外は、上記実施の形態と同様であり、同様の部分には同じ符号を付している。
【００７５】
上記構成により、鋸歯形状の固定リング２５に多数の回転刃５が所定のずれ角θ１，θ２をもって正確に取り付けることができる。回転刃５を厚肉の部材で構成することにより、各取付け面２６に固定すると直ちに所定の位置に回転刃先線１５が設定できるので、製作が簡素化される。さらに、回転刃５が複数配置されているので、回転刃先線１５と固定刃先線２３との切断可能な交差動作が、回転体の１回転に対して複数回えられるので、切断効率を高めるのに有効である。また、回転刃５の着脱が容易なので、定期的な保守整備において便利である。それ以外は、上記実施の形態と同様の作用効果を奏する。
【００７６】
図１７は、本発明の切断装置の第３の実施の形態を示す。
【００７７】
この実施の形態は、固定刃７が２本配置されたものである。２本の固定刃７，７は回転軸線Ｏ−Ｏを挟んで互いに対称となる位置に配置されている。図１７に示す右上の固定刃７で切断されたペレット１０は、回転刃５の反時計方向の回転によってホッパー１２に送り出される。それ以外は、上記各実施の形態と同様であり、同様の部分には同じ符号を付している。
【００７８】
上記構成により、回転刃先線１５と固定刃先線２３との切断可能な交差動作が、回転体４の１回転に対して複数回えられるので、切断効率を高めるのに有効である。それ以外は、上記各実施の形態と同様の作用効果を奏する。
【００７９】
上記各実施の形態では、被切断物が棒状の合成樹脂素材９であるが、それ以外の被切断物として、合成樹脂板，鋼板，鋼線等広い分野のものが挙げられる。
【００８０】
【発明の効果】
以上のように、本発明の切断装置によれば、上記回転刃の回転刃先線は直線状態とされ、上記回転刃先線の一端側と他端側が上記仮想円の円周方向にずれているので、上記両仮想円間の回転刃先線は、上記両仮想円によって形成される仮想円筒の円筒面に沿わないで、一端と他端の中央に向うほど両仮想円の直径よりも小径の仮想円上を通過し、回転刃先線の長さ方向の略中央部が最も小径の仮想円上を通過することになる。すなわち、直線の回転刃先線の一端側と他端側が、上記両仮想円の円周方向に所定のずれ角をもった状態で配置されているので、回転刃先線は、両端に上記両仮想円を持つ仮想円筒の円筒面に食い込んだ位置を直線的に通過する。
【００８１】
一方、上記固定刃の固定刃先線は直線状態とされ、上記回転刃先線のずれ方向とは逆方向にずれているので、上記のような形態で通過している回転刃先線と交差した位置関係となる。そして、上記回転刃先線に対して、それと逆方向にずれた固定刃先線を対応させることにより、回転刃先線と固定刃先線との交差箇所を、両刃先線が被切断物を切断できる位置関係とすることができ、上記交差箇所が回転刃の回転に連れて上記回転軸線と平行な方向へ移動して行くのである。すなわち、回転刃先線に対して、固定刃先線が逆方向にずれた位置関係で対向しているので、回転体の回転にともなう回転刃先線と固定刃先線との交差箇所が、両刃先線が異常干渉したり異常に広いクリアランスとなったりすることなく適正に維持できる。
【００８２】
上記回転刃先線と固定刃先線が交差関係を維持しながら、上記交差箇所が回転刃の回転に連れて上記回転軸線と平行な方向へ移動して行くので、交差状態の回転刃先線と固定刃先線を回転軸線の略真横から見ると、回転刃先線と固定刃先線は、全長にわたって両刃先線間に所要の刃先間隙を保って平行な状態になる。このような回転刃先線と固定刃先線との位置関係により、上記のように、両刃先線の交差箇所が連続的に移動して、上記交差箇所において良好な切断がなされる。
【００８３】
さらに、回転刃先線と固定刃先線はともに直線状態であるから、回転刃や固定刃の形状を簡素化できるので、製作が簡単に行えて製造原価の低減が図られ、しかも回転刃や固定刃の着脱作業も行いやすくなる。
【００８４】
さらに、本発明の切断装置の回転刃ロールによれば、固定刃の固定刃先線が直線状態とされ、上記回転軸線に対し、上記固定刃先線が上記回転刃先線のずれ方向とは逆方向にずれて配置されている上記固定刃を、上記回転刃ロールに組み合わせて切断動作をすることにより、よりすぐれた回転刃ロールとしての機能が発揮され、次のような動作により良好な切断が行える。すなわち、上記回転体と、それに上記のようにずらして配置した回転刃とを一体的に組み合わせた結合体が、回転刃ロールとして下記のような作用効果を発揮する。
【００８５】
上記回転刃ロールの回転刃先線は直線状態とされ、上記回転刃先線の一端側と他端側が上記仮想円の円周方向にずれているので、上記両仮想円間の回転刃先線は、上記両仮想円によって形成される仮想円筒の円筒面に沿わないで、一端と他端の中央に向うほど両仮想円の直径よりも小径の仮想円上を通過し、回転刃先線の長さ方向の略中央部が最も小径の仮想円上を通過することになる。すなわち、直線の回転刃先線の一端側と他端側が、上記両仮想円の円周方向に所定のずれ角をもった状態で配置されているので、回転刃先線は、両端に上記両仮想円を持つ仮想円筒の円筒面に食い込んだ位置を直線的に通過する。
【００８６】
一方、上記回転刃ロールに対応させて配置される固定刃の固定刃先線は、直線状態とされ、上記回転刃先線のずれ方向とは逆方向にずれているので、上記のような形態で通過している回転刃先線と交差した位置関係となる。そして、上記回転刃先線に対して、それと逆方向にずれた固定刃先線を対応させることにより、回転刃先線と固定刃先線との交差箇所を、両刃先線が被切断物を切断できる位置関係とすることができ、上記交差箇所が回転刃の回転に連れて上記回転軸線と平行な方向へ移動して行くのである。すなわち、回転刃先線に対して、固定刃先線が逆方向にずれた位置関係で対向しているので、回転体の回転にともなう回転刃先線と固定刃先線との交差箇所が、両刃先線が異常干渉したり異常に広いクリアランスとなったりすることなく適正に維持できる。
【００８７】
上記回転刃先線と固定刃先線が交差関係を維持しながら、上記交差箇所が回転刃の回転に連れて上記回転軸線と平行な方向へ移動して行くので、交差状態の回転刃先線と固定刃先線を回転軸線の略真横から見ると、回転刃先線と固定刃先線は全長にわたって両刃先線間に所要の刃先間隙を保って平行な状態になる。このような回転刃先線と固定刃先線との位置関係により、上記のように、両刃先線の交差箇所が連続的に移動して、上記交差箇所において良好な切断がなされる。
【００８８】
さらに、回転刃先線と固定刃先線はともに直線状態であるから、回転刃や固定刃の形状を簡素化できるので、製作が簡単に行えて製造原価の低減が図られ、しかも回転刃や固定刃の着脱作業も行いやすくなる。
【００８９】
また、本発明の切断装置の刃物台ロールによれば、固定刃の固定刃先線が直線状態とされ、上記回転軸線に対し、上記固定刃先線が上記回転刃先線のずれ方向とは逆方向にずれて配置されている上記固定刃を、上記回転刃を備えた刃物台ロールに組み合わせて切断動作をすることにより、よりすぐれた刃物台ロールとしての機能が発揮され、次のような動作により良好な切断が行える。すなわち、上記のようにずらして配置した回転刃が一体的に結合される回転部材が、刃物台ロールとして下記のような作用効果を発揮する。
【００９０】
上記刃物台ロールに取り付けられる回転刃の回転刃先線は直線状態とされ、上記回転刃先線の一端側と他端側が上記仮想円の円周方向にずれているので、上記両仮想円間の回転刃先線は、上記両仮想円によって形成される仮想円筒の円筒面に沿わないで、一端と他端の中央に向うほど両仮想円の直径よりも小径の仮想円上を通過し、回転刃先線の長さ方向の略中央部が最も小径の仮想円上を通過することになる。すなわち、直線の回転刃先線の一端側と他端側が、上記両仮想円の円周方向に所定のずれ角をもった状態で配置されているので、回転刃先線は、両端に上記両仮想円を持つ仮想円筒の円筒面に食い込んだ位置を直線的に通過する。
【００９１】
一方、上記刃物台ロールに取り付けられた回転刃に対応させて配置される上記固定刃の固定刃先線は、直線状態とされ、上記回転刃先線のずれ方向とは逆方向にずれているので、上記のような形態で通過している回転刃先線と交差した位置関係となる。そして、上記回転刃先線に対して、それと逆方向にずれた固定刃先線を対応させることにより、回転刃先線と固定刃先線との交差箇所を、両刃先線が被切断物を切断できる位置関係とすることができ、上記交差箇所が回転刃の回転に連れて上記回転軸線と平行な方向へ移動して行くのである。すなわち、回転刃先線に対して、固定刃先線が逆方向にずれた位置関係で対向しているので、回転体の回転にともなう回転刃先線と固定刃先線との交差箇所が、両刃先線が異常干渉したり異常に広いクリアランスとなったりすることなく適正に維持できる。
【００９２】
上記回転刃先線と固定刃先線が交差関係を維持しながら、上記交差箇所が回転刃の回転に連れて上記回転軸線と平行な方向へ移動して行くので、交差状態の回転刃先線と固定刃先線を回転軸線の略真横から見ると、回転刃先線と固定刃先線は全長にわたって両刃先線間に所要の刃先間隙を保って平行な状態になる。このような回転刃先線と固定刃先線との位置関係により、上記のように、両刃先線の交差箇所が連続的に移動して、上記交差箇所において良好な切断がなされる。
【００９３】
さらに、回転刃先線と固定刃先線はともに直線状態であるから、回転刃や固定刃の形状を簡素化できるので、製作が簡単に行えて製造原価の低減が図られ、しかも回転刃や固定刃の着脱作業も行いやすくなる。
【図面の簡単な説明】
【図１】本発明の切断装置を全体的に示す断面図である。
【図２】回転刃と回転体の位置関係を示す斜視図である。
【図３】図２のものの平面図である。
【図４】回転刃先線にずれ角を付与する前の状態を示す透視図である。
【図５】回転刃先線にずれ角を付与した状態を示す透視図である。
【図６】回転刃先線のずれ状態を仮想円を用いて示す正面図と、回転刃先線の形状を示す側面図である。
【図７】回転刃と固定刃との交差状態を示す平面図である。
【図８】図７の（Ａ）−（Ａ）断面，（Ｂ）−（Ｂ）断面，（Ｃ）−（Ｃ）断面を示す断面図である。
【図９】図７の状態を真横から見た側面図である。
【図１０】回転刃先線と固定刃先線との交差状態を示す平面図と、回転軸線の方向から見た正面図であり、（Ａ）（Ｂ）（Ｃ）の３段階について図示している。
【図１１】回転刃先線と固定刃先線との交差状態を示す平面図と、回転軸線の方向から見た正面図であり、複数の回転刃先線が１つの図に示されている。
【図１２】合成樹脂素材が切断される状態を示す側面図である。
【図１３】図１２の（Ａ）−（Ａ）断面，（Ｂ）−（Ｂ）断面，（Ｃ）−（Ｃ）断面を示す断面図である。
【図１４】回転体の断面図である。
【図１５】回転体の断面図である。
【図１６】回転体の部分的な平面図である。
【図１７】他の切断装置を全体的に示す断面図である。
【符号の説明】
１      切断装置
２      ハウジング
３      回転軸
Ｏ−Ｏ  回転軸線
４      回転体，刃物台ロール
５      回転刃
５Ａ    回転刃ロール
６      固定基台
７      固定刃
８      交差箇所
９      合成樹脂素材
１０    ペレット
１１    挿入穴
１２    ホッパー
１２Ａ  ガイド管
１３    供給手段
１４    容器
１５    回転刃先線
１６    切欠き部
１７    ボルト
１８    仮想円，円板
１８ａ〜１８ｈ  点
１８Ａ  点
１９    仮想円，円板
１９ａ〜１９ｈ  点
１９Ａ  点
２０    仮想円筒
２１    小径の仮想円
２１ａ〜２１ｈ  点
２３    固定刃先線
θ      ずれ角
θ´    ずれ角
θ１，θ２，θ３，θ４  ずれ角
α      相対角
β      相対角
γ      相対角
Ｌ      基準線
Ｄ      径差
２４    端板
２５    固定リング
２６    取付け面
２７    固定ボルト
【図１】
2005001029.tif 000003
【図２】
2005001029.tif 000004
【図３】
2005001029.tif 000005
【図４】
2005001029.tif 000006
【図５】
2005001029.tif 000007
【図６】
2005001029.tif 000008
【図７】
2005001029.tif 000009
【図８】
2005001029.tif 000010
【図９】
2005001029.tif 000011
【図１０】
2005001029.tif 000012
【図１１】
2005001029.tif 000013
【図１２】
2005001029.tif 000014
【図１３】
2005001029.tif 000015
【図１４】
2005001029.tif 000016
【図１５】
2005001029.tif 000017
【図１６】
2005001029.tif 000018
【図１７】
2005001029.tif 000019